(57)【要約】      （修正有）【課題】第三者による認証記号の情報の読み取りを防止できる認証装置、認証システム及び認証方法を提供する。【解決手段】認証装置１０は、タッチパネルと、表示手段１１と、入力検出手段１２と、認証判定手段１３とを有する。表示手段１１は、タッチパネルの表示画面において、始点と終点とが一致する軌跡上に、複数の記号を表示する。入力検出手段１２は、タッチパネルに表示されたいずれかの記号への接触を入力開始として、記号から軌跡上を通って、入力開始の記号に戻るまでの連続的な接触を、記号の入力として検出する。認証判定手段１３は、入力が検出された記号が、予め設定した認証記号と一致する場合に、認証と判定し、入力が検出された記号が、予め設定した認証記号と一致しない場合に、非認証と判定する。【選択図】図１
2016192149.tif 000002
【特許請求の範囲】
【請求項１】
表示手段と、入力検出手段と、認証判定手段とを有し、
前記表示手段は、タッチパネルの表示画面において、始点と終点とが一致する軌跡上に、複数の記号を表示し、
前記入力検出手段は、前記タッチパネルに表示されたいずれかの記号への接触を入力開始として、前記記号から前記軌跡上を通って、前記入力開始の記号に戻るまでの連続的な接触を、前記記号の入力として検出し、
前記認証判定手段は、前記入力が検出された記号が、予め設定した認証記号と一致する場合に、認証と判定し、前記入力が検出された記号が、予め設定した認証記号と一致しない場合に、非認証と判定することを特徴とする認証装置。
【請求項２】
前記入力検出手段は、さらに、前記連続した接触以外の接触を、入力エラーとして検出する、請求項１記載の認証装置。
【請求項３】
前記認証判定手段は、さらに、前記入力検出手段が入力エラーを検出した場合に、非認証を判定する、請求項２記載の認証装置。
【請求項４】
さらに、反復手段を含み、
前記反復手段は、前記入力検出手段を複数回反復して実行し、
前記認証判定手段は、前記複数回の反復によって入力が検出された複数の記号の羅列が、予め設定した認証記号の羅列と一致する場合に、認証と判定し、前記複数回の反復によって入力が検出された複数の記号の羅列が、予め設定した認証記号の羅列と一致しない場合に、非認証と判定する、請求項１〜３のいずれか一項に記載の認証装置。
【請求項５】
前記反復手段は、前記羅列した認証記号の数と同じ回数、前記入力検出手段を反復して実行する、請求項４記載の認証装置。
【請求項６】
前記反復手段は、前記入力検出手段において入力エラーを検出した場合、前記入力検出手段の反復の実行を中止する、請求項４または５記載の認証装置。
【請求項７】
前記軌跡の形が、円または角である、請求項１〜６のいずれか一項に記載の認証装置。
【請求項８】
前記タッチパネルに表示する複数の記号が、数字またはアルファベットである、請求項１〜７のいずれか一項に記載の認証装置。
【請求項９】
さらに、スクランブル手段を含み、
前記スクランブル手段は、前記表示手段による前記軌跡上への前記複数の記号の表示の順序を、ランダムに並び替える、請求項１〜８のいずれか一項に記載の認証装置。
【請求項１０】
前記表示手段は、さらに、前記タッチパネルの表示画面において、認証か否かを表示する、請求項１から９のいずれか一項に記載の認証装置。
【請求項１１】
端末とサーバとを含み、
前記端末と前記サーバとは、システム外の通信回線網を介して、接続可能であり、
前記端末は、
端末内の情報を前記通信回線網を介して前記サーバに送信する端末側送信手段と、前記サーバ内の情報を前記通信網を介して受信する端末側受信手段と、表示手段と、入力検出手段とを含み、
前記表示手段は、タッチパネルの表示画面において、始点と終点とが一致する軌跡上に、複数の記号を表示し、
前記入力検出手段は、前記タッチパネルに表示されたいずれかの記号への接触を入力開始として、前記記号から前記軌跡上を通って、前記入力開始の記号に戻るまでの連続的な接触を、前記記号の入力として検出し、
前記サーバは、
サーバ内の情報を前記通信回線網を介して前記端末に送信するサーバ側送信手段と、前記端末内の情報を前記通信網を介して受信するサーバ側受信手段と、認証判定手段とを有し、
前記認証判定手段は、前記入力が検出された記号が、予め設定した認証記号と一致する場合に、認証と判定し、前記入力が検出された記号が、予め設定した認証記号と一致しない場合に、非認証と判定し、
前記端末側送信手段から前記サーバ側受信手段に、前記記号の入力の情報が送信され、
前記サーバ側送信手段から前記端末側受信手段に、前記認証か否かの情報が送信されることを特徴とする認証システム。
【請求項１２】
前記入力検出手段は、さらに、前記連続した接触以外の接触を、入力エラーとして検出する、請求項１１記載の認証システム。
【請求項１３】
前記認証判定手段は、さらに、前記入力検出手段が入力エラーを検出した場合に、非認証と判定する、請求項１２記載の認証システム。
【請求項１４】
前記端末は、さらに、反復手段を含み、
前記反復手段は、前記入力検出手段を複数回反復して実行し、
前記認証判定手段は、前記複数回の反復によって入力が検出された複数の記号の羅列が、予め設定した認証記号の羅列と一致する場合に、認証と判定し、前記複数回の反復によって入力が検出された複数の記号の羅列が、予め設定した認証記号の羅列と一致しない場合に、非認証と判定する、請求項１１〜１３のいずれか一項に記載の認証システム。
【請求項１５】
前記反復手段は、前記羅列した認証記号の数と同じ回数、前記入力検出手段を反復して実行する、請求項１４記載の認証システム。
【請求項１６】
前記反復手段は、前記入力検出手段において入力エラーを検出した場合、前記入力検出手段の反復の実行を中止する、請求項１４または１５記載の認証システム。
【請求項１７】
前記軌跡の形が、円または角である、請求項１１〜１６のいずれか一項に記載の認証システム。
【請求項１８】
前記タッチパネルに表示する複数の記号が、数字またはアルファベットである、請求項１１〜１７のいずれか一項に記載の認証システム。
【請求項１９】
前記端末は、さらに、スクランブル手段を含み、
前記スクランブル手段は、前記表示手段による前記軌跡上への前記複数の記号の表示の順序を、ランダムに並び替える、請求項１１〜１８のいずれか一項に記載の認証システム。
【請求項２０】
前記表示手段は、さらに、前記タッチパネルの表示画面において、認証か否かを表示する、請求項１１から１９のいずれか一項に記載の認証システム。
【請求項２１】
表示手段と、入力検出手段と、認証判定手段とを有し、
タッチパネルの表示画面において、始点と終点とが一致する軌跡上に、複数の記号を表示する表示工程と、
前記タッチパネルに表示されたいずれかの記号への接触を入力開始として、前記記号から前記軌跡上を通って、前記入力開始の記号に戻るまでの連続的な接触を、前記記号の入力として検出する入力検出工程と、
前記入力が検出された記号が、予め設定した認証記号と一致する場合に、認証と判定し、前記入力が検出された記号が、予め設定した認証記号と一致しない場合に、非認証と判定する認証判定工程とを含むことを特徴とする認証方法。
【請求項２２】
前記入力検出工程は、さらに、前記連続した接触以外の接触を、入力エラーとして検出する、請求項２１記載の認証方法。
【請求項２３】
前記認証判定工程は、さらに、前記入力検出手段が入力エラーを検出した場合に、非認証と判定する、請求項２２記載の認証方法。
【請求項２４】
さらに、反復工程を含み、
前記反復工程は、前記入力検出工程を複数回反復して実行し、
前記認証判定工程は、前記複数回の反復によって入力が検出された複数の記号の羅列が、予め設定した認証記号の羅列と一致する場合に、認証と判定し、前記複数回の反復によって入力が検出された複数の記号の羅列が、予め設定した認証記号の羅列と一致しない場合に、非認証と判定する、請求項２１〜２３のいずれか一項に記載の認証方法。
【請求項２５】
前記反復工程は、前記羅列した認証記号の数と同じ回数、前記入力検出工程を反復して実行する、請求項２４記載の認証方法。
【請求項２６】
前記反復工程は、前記入力検出手段において入力エラーを検出した場合、前記入力検出手段の反復の実行を中止する、請求項２４または２５記載の認証方法。
【請求項２７】
前記軌跡の形が、円または角である、請求項２１〜２６のいずれか一項に記載の認証方法。
【請求項２８】
前記タッチパネルに表示する複数の記号が、数字またはアルファベットである、請求項２１〜２７のいずれか一項に記載の認証方法。
【請求項２９】
さらに、スクランブル工程を含み、
前記スクランブル工程は、前記表示工程における前記軌跡上への前記複数の記号の表示の順序を、ランダムに並び替える、請求項２１〜２８のいずれか一項に記載の認証方法。
【請求項３０】
前記表示工程は、さらに、前記タッチパネルの表示画面において、認証か否かを表示する、請求項２１から２９のいずれか一項に記載の認証方法。
【請求項３１】
請求項２１から３０のいずれか一項に記載の認証方法をコンピュータ上で実行可能なことを特徴とする、プログラム。
【請求項３２】
請求項３１記載のプログラムを記録していることを特徴とする、コンピュータ読み取り可能な記録媒体。
【請求項３３】
端末内の情報を前記通信回線網を介してサーバに送信する端末側送信手段と、前記サーバ内の情報を前記通信網を介して受信する端末側受信手段と、表示手段と、入力検出手段とを含み、
前記表示手段は、タッチパネルの表示画面において、始点と終点とが一致する軌跡上に、複数の記号を表示し、
前記入力検出手段は、前記タッチパネルに表示されたいずれかの記号への接触を入力開始として、前記記号から前記軌跡上を通って、前記入力開始の記号に戻るまでの連続的な接触を、前記記号の入力として検出し、
請求項１１から２０のいずれか一項に記載の認証システムに用いることを特徴とする認証用端末。
【請求項３４】
サーバ内の情報を前記通信回線網を介して端末に送信するサーバ側送信手段と、前記端末内の情報を前記通信網を介して受信するサーバ側受信手段と、認証判定手段とを有し、
前記認証判定手段は、入力が検出された記号が、予め設定した認証記号と一致する場合に、認証と判定し、入力が検出された記号が、予め設定した認証記号と一致しない場合に、非認証と判定し、
請求項１１から２０のいずれか一項に記載の認証システムに用いることを特徴とする認証用サーバ。
【発明の詳細な説明】
【技術分野】
【０００１】
本発明は、認証装置、認証システム、および認証方法に関する。
【背景技術】
【０００２】
パソコン、スマートフォン、タブレット、キャッシュディスペンサー等、多くの場面において、タッチパネルを使用して数値等の認証記号を入力するシステムが一般的となっている（特許文献１および２）。前記システムでは、例えば、認証記号を構成する数値（０から９の整数）がテンキー状に表示されており、目的の数値にタッチすることで、入力が行われる。しかしながら、基本的に認証記号は予め設定されているため、タッチする記号は、毎回同じである。このため、例えば、繰り返される入力によって、同一箇所に指紋が付いたり、前記タッチパネルの同一箇所が損耗する場合がある。そして、これによって、第三者によって、認証記号の情報が読み取られるおそれがある。
【先行技術文献】
【特許文献】
【０００３】
【特許文献１】特開２００７−８７２８９号公報
【特許文献２】特開２０１２−１０３８８７号公報
【発明の概要】
【発明が解決しようとする課題】
【０００４】
そこで、本発明は、第三者による認証記号の情報の読み取りを防止できる認証装置、認証システム、および認証方法を提供する。
【課題を解決するための手段】
【０００５】
本発明の認証装置は、タッチパネルと、表示手段と、入力検出手段と、認証判定手段とを有し、
前記表示手段は、前記タッチパネルの表示画面において、始点と終点とが一致する軌跡上に、複数の記号を表示し、
前記入力検出手段は、前記タッチパネルに表示されたいずれかの記号への接触を入力開始として、前記記号から前記軌跡上を通って、前記入力開始の記号に戻るまでの連続的な接触を、前記記号の入力として検出し、
前記認証判定手段は、前記入力が検出された記号が、予め設定した認証記号と一致する場合に、認証と判定し、前記入力が検出された記号が、予め設定した認証記号と一致しない場合に、非認証と判定することを特徴とする。
【０００６】
本発明の認証システムは、
端末とサーバとを含み、
前記端末と前記サーバとは、システム外の通信回線網を介して、接続可能であり、
前記端末は、
端末内の情報を前記通信回線網を介して前記サーバに送信する端末側送信手段と、前記サーバ内の情報を前記通信網を介して受信する端末側受信手段と、タッチパネルと、表示手段と、入力検出手段とを含み、
前記表示手段は、前記タッチパネルの表示画面において、始点と終点とが一致する軌跡上に、複数の記号を表示し、
前記入力検出手段は、前記タッチパネルに表示されたいずれかの記号への接触を入力開始として、前記記号から前記軌跡上を通って、前記入力開始の記号に戻るまでの連続的な接触を、前記記号の入力として検出し、
前記サーバは、
サーバ内の情報を前記通信回線網を介して前記端末に送信するサーバ側送信手段と、前記端末内の情報を前記通信網を介して受信するサーバ側受信手段と、認証判定手段とを有し、
前記認証判定手段は、前記入力が検出された記号が、予め設定した認証記号と一致する場合に、認証と判定し、前記入力が検出された記号が、予め設定した認証記号と一致しない場合に、非認証と判定し、
前記端末側送信手段から前記サーバ側受信手段に、前記記号の入力の情報が送信され、
前記サーバ側送信手段から前記端末側受信手段に、前記認証か否かの情報が送信されることを特徴とする。
【０００７】
本発明の認証方法は、
タッチパネルと、表示手段と、入力検出手段と、認証判定手段とを有し、
前記タッチパネルの表示画面において、始点と終点とが一致する軌跡上に、複数の記号を表示する表示工程と、
前記タッチパネルに表示されたいずれかの記号への接触を入力開始として、前記記号から前記軌跡上を通って、前記入力開始の記号に戻るまでの連続的な接触を、前記記号の入力として検出する入力検出工程と、
前記入力が検出された記号が、予め設定した認証記号と一致する場合に、認証と判定し、前記入力が検出された記号が、予め設定した認証記号と一致しない場合に、非認証と判定する認証判定工程とを含むことを特徴とする。
【０００８】
本発明のプログラムは、前記本発明の認証方法をコンピュータ上で実行可能なことを特徴とする。
【０００９】
本発明のコンピュータ読み取り可能な記録媒体は、前記本発明のプログラムを記録していることを特徴とする。
【００１０】
本発明の認証用端末は、
端末内の情報を前記通信回線網を介してサーバに送信する端末側送信手段と、前記サーバ内の情報を前記通信網を介して受信する端末側受信手段と、タッチパネルと、表示手段と、入力検出手段とを含み、
前記表示手段は、前記タッチパネルの表示画面において、始点と終点とが一致する軌跡上に、複数の記号を表示し、
前記入力検出手段は、前記タッチパネルに表示されたいずれかの記号への接触を入力開始として、前記記号から前記軌跡上を通って、前記入力開始の記号に戻るまでの連続的な接触を、前記記号の入力として検出し、
前記本発明の認証システムに用いることを特徴とする。
【００１１】
本発明の認証用サーバは、
サーバ内の情報を前記通信回線網を介して端末に送信するサーバ側送信手段と、前記端末内の情報を前記通信網を介して受信するサーバ側受信手段と、認証判定手段とを有し、
前記認証判定手段は、入力が検出された記号が、予め設定した認証記号と一致する場合に、認証と判定し、入力が検出された記号が、予め設定した認証記号と一致しない場合に、非認証と判定し、
前記本発明の認証システムに用いることを特徴とする。
【発明の効果】
【００１２】
本発明は、前記タッチパネルの表示画面において、始点と終点とが一致する軌跡上に、複数の記号が表示されており、任意の記号から出発して前記軌跡を通って元の記号に戻ってくるまで、前記タッチパネルの軌跡を連続的に接触することをもって、前記記号の入力を検出している。このため、いずれの記号を入力する場合でも、開始から終了まで、前記軌跡上を全て連続的に接触するため、特定の記号のみに接触することがない。また、接触したことによる指紋の痕跡も、前記軌跡上を全て連続的に接触することにより、消されることになる。したがって、本発明によれは、第三者による認証記号の読み取りを回避することができる。このため、本発明によれば、パソコン、スマートフォン、タブレット、キャッシュディスペンサー等の認証において、優れた安全性を確保できる。
【図面の簡単な説明】
【００１３】
【図１】図１は、本発明の認証装置の一例を示すブロック図である。
【図２】図２は、本発明の認証方法およびプログラムの一例を示すフローチャートである。
【図３】図３は、本発明の認証方法およびプログラムの一例を示すフローチャートである。
【図４】図４は、本発明の認証装置におけるタッチパネルの表示画像の一例を示す概略図である。
【図５】図５は、本発明の認証装置におけるタッチパネルの操作方法の一例を示す概略図である。
【図６】図６は、本発明の認証装置におけるタッチパネルの表示画像のその他の例を示す概略図である。
【図７】図７は、本発明の認証システムの一例を示すブロック図である。
【発明を実施するための形態】
【００１４】
つぎに、本発明の実施形態について説明する。なお、本発明は、下記の実施形態によって何ら限定および制限されない。なお、以下の図１から図７において、同一部分には、同一符号を付している。また、各実施形態の説明は、特に言及がない限り、互いの説明を援用できる。さらに、各実施形態の構成は、特に言及がない限り、組合せ可能である。
【００１５】
［実施形態１］
実施形態１は、本発明の認証装置および認証方法に関する。
【００１６】
図１に、本実施形態における認証装置のブロック図を示す。図１に示すように、本実施形態の認証装置１０は、表示手段１１、入力処理手段１２、および認証判定手段１３を含む。
【００１７】
表示手段１１は、タッチパネルである。前記タッチパネルは、その表示画面への接触により、入力が行われる。表示手段１１は、前記タッチパネルの表示画面において、始点と終点とが一致する軌跡上に、複数の記号を表示する。
【００１８】
前記軌跡は、始点と終点とが一致するものであればよく、その形は、特に制限されない。前記軌跡の形は、例えば、円または角である、前記円は、例えば、真円、楕円等があげられる。前記角は、例えば、三角以上の多角であり、具体例として、四角、五角、六角、七角、八角等があげられる。本発明においては、前記軌跡上の任意の記号への接触を入力開始として、そのまま軌跡上を連続して接触し、最初の記号にまで戻ってくることをもって、前記記号の入力と判断される。このため、連続的な接触が容易であることから、前記軌跡の形は、例えば、円が好ましい。
【００１９】
前記軌跡上に表示される記号の種類は、特に制限されず、例えば、数字もしくはアルファベット、これらの組合せがあげられる。前記軌跡上に表示される記号の数は、特に制限されない。前記複数の記号が数字の場合、例えば、０から９の整数があげられ、複数の記号がアルファベットの場合、例えば、Ａ〜Ｚのうち任意のアルファベットの組合せが選択できる。
【００２０】
表示手段１１は、例えば、前記軌跡上の記号への接触に伴い、前記タッチパネルの表示画面において、連続的な前記軌跡上の接触を誘導するために、さらに、移動方向を示す矢印を表示してもよい。また、表示手段１１は、例えば、接触した部分を、色等により表示してもよい。
【００２１】
表示手段１１は、例えば、後述するように認証判定手段１３における判定結果、すなわち、認証か否かを、前記タッチパネルの表示画面において表示してもよい。
【００２２】
入力検出手段１２は、例えば、ハードウエアであるデータ処理手段に組み込まれてもよいし、ソフトウェアでもよいし、前記ソフトウェアが組み込まれたハードウエアでもよい。入力検出手段１２は、例えば、ＣＰＵ等を備えてもよい。入力検出手段１２は、表示手段１１および認証判定手段１３と、それぞれ電気的に接続されてよい。
【００２３】
入力検出手段１２は、表示手段１１の前記タッチパネルに表示されたいずれかの記号への接触を入力開始として、前記記号から前記軌跡上を通って、前記入力開始の記号に戻るまでの連続的な接触を、前記記号の入力として検出する。
【００２４】
認証判定手段１３は、例えば、ハードウエアであるデータ処理手段に組み込まれてもよいし、ソフトウェアでもよいし、前記ソフトウェアが組み込まれたハードウエアでもよい。認証判定手段１３は、例えば、ＣＰＵ等を備えてもよい。認証判定手段１３は、表示手段１１および入力検出手段１２と、それぞれ電気的に接続されてよい。
【００２５】
認証判定手段１３は、前記入力検出手段で前記入力が検出された記号が、予め設定した認証記号と一致する場合に、認証と判定し、前記入力検出手段で入力が検出された記号が、予め設定した認証記号と一致しない場合に、非認証と判定する。前記認証判定手段による判定結果、すなわち、認証か否かは、前述のように、例えば、前記表示手段により、前記タッチパネルの表示画面に表示されてもよい。
【００２６】
前記予め設定した認証記号は、例えば、記憶手段に記憶されてもよい。この場合、認証判定手段１３は、例えば、前記記憶手段から、前記予め設定した認証記号を呼び出し、認証を行ってもよい。前記記憶手段は、例えば、認証判定手段１３が備える内臓型でもよいし、外部記憶装置のような外付け型であってもよい。前記記憶手段は、例えば、ランダムアクセスメモリ（ＲＡＭ）、読み出し専用メモリ（ＲＯＭ）、フラッシュメモリー、ハードディスク（ＨＤ）、光ディスク、フロッピー（登録商標）ディスク（ＦＤ）等があげられる。
【００２７】
また、入力検出手段１２は、例えば、さらに、前記連続した接触以外の接触を、入力エラーとして検出してもよい。
【００２８】
そして、認証判定手段１３は、例えば、さらに、前記入力検出手段が入力エラーを検出した場合に、非認証と判断してもよい。
【００２９】
つぎに、図２および図３に、本実施形態における認証方法のフローチャートの例を示す。本実施形態の認証方法は、例えば、図１の認証装置を用いて、つぎのように実施する。図２に示すように、本実施形態の認証方法は、Ａ１ステップ（記号表示）、Ａ２ステップ（入力検出）およびＡ３ステップ（認証判定）を含む。
【００３０】
（Ａ１）記号表示
Ａ１ステップでは、タッチパネルの表示画面において、始点と終点とが一致する軌跡上に、複数の記号を表示する。
【００３１】
（Ａ２）入力検出
Ａ２ステップでは、タッチパネルへの接触について（A２１）、前記タッチパネルに表示されたいずれかの記号への接触を入力開始として、前記記号から前記軌跡上を通って、前記入力開始の記号に戻るまでの連続的な接触を、前記記号の入力として検出する。具体的には、前記連続的な接触であった場合（ＹＥＳ）、前記記号を入力記号として検出する（Ａ２３）。この際、例えば、前記連続した接触以外の接触であった場合（ＮＯ）には、入力エラーとして検出してもよい。
【００３２】
（Ａ３）認証判定
Ａ３ステップでは、前記入力が検出された記号が、予め設定した認証記号と一致するか否かを確認する。前記入力が検出された記号が、前記予め設定した認証番号を一致する場合（ＹＥＳ）、認証と判定し、前記入力が検出された記号が、予め設定した認証記号と一致しない場合（ＮＯ）、非認証と判定する。この際、例えば、前記Ａ２ステップで、入力エラーを検出した場合には、非認証と判断してもよい。
【００３３】
［実施形態２］
実施形態２は、本発明の認証装置および認証方法に関する。実施形態２の認証装置および認証方法は、例えば、実施形態１の認証装置および認証方法の説明を援用できる。
【００３４】
実施形態２の情報表示装置は、さらに、反復手段を含む。前記反復手段は、前記入力検出手段を複数回反復して実行し、前記認証判定手段は、前記複数回の反復によって入力が検出された複数の記号の羅列が、予め設定した認証記号の羅列と一致する場合に、認証と判定し、前記複数回の反復によって入力が検出された複数の記号の羅列が、予め設定した認証記号の羅列と一致しない場合に、非認証と判定する。この点を除き、実施形態２の認証装置は、実施形態１の認証装置と同様の構成を有する。
【００３５】
実施形態２の認証装置および認証方法は、例えば、認証記号が１つではなく、２つ以上の認証記号の組合せにより、認証が判定される場合に適している。２つ以上の認証記号の組合せの場合、予め複数の認証記号の羅列が設定される。このため、複数の認証記号とその羅列とが正確に入力された場合に、認証が行われることになる。
【００３６】
前記反復手段は、例えば、ハードウエアであるデータ処理手段に組み込まれてもよいし、ソフトウェアでもよいし、前記ソフトウェアが組み込まれたハードウエアでもよい。前記反復手段は、例えば、入力検出手段と同じデータ処理手段に組み込まれてもよい。前記反復手段は、例えば、表示手段１１、入力検出手段１２および認証判定手段１３と、それぞれ電気的に接続されてよい。
【００３７】
前記反復手段は、例えば、前記反復手段は、前記羅列した認証記号の数と同じ回数、前記入力検出手段を反復して実行する。具体例として、予め４つの認証記号の羅列が設定されている場合、前記入力検出手段を４回反復して実行することが好ましい。
【００３８】
また、前記反復手段は、例えば、前記入力検出手段において入力エラーを検出した場合、前記入力検出手段の反復の実行を中止してもよい。
【００３９】
実施形態２の認証方法は、さらに、反復工程を含むことが好ましく、前記反復工程は、例えば、前記入力検出工程を複数回反復して実行する。この場合、前記認証判定工程は、例えば、前記複数回の反復によって入力が検出された複数の記号の羅列が、予め設定した認証記号の羅列と一致する場合に、認証と判定し、前記複数回の反復によって入力が検出された複数の記号の羅列が、予め設定した認証記号の羅列と一致しない場合に、非認証と判定することが好ましい。
【００４０】
［実施形態３］
実施形態３は、本発明の認証装置および認証方法に関する。実施形態３の認証装置および認証方法は、例えば、実施形態１ならびに実施形態２の認証装置および認証方法の説明を援用できる。
【００４１】
実施形態３の情報表示装置は、さらに、スクランブル手段を含むことが好ましい。前記スクランブル手段は、例えば、前記表示手段による前記軌跡上への前記複数の記号の表示の順序を、ランダムに並び替える。この点を除き、実施形態３の認証装置は、実施形態１および実施形態２の認証装置と同様の構成を有する。
【００４２】
実施形態３の認証装置および認証方法は、スクランブル手段を含むことにより、例えば、認証の度に、前記軌跡上の複数記号の表示順序をランダムに変更できるため、より安全性を向上することができる。前記記号が数字の場合、前記スクランブル手段は、例えば、欄数列生成手段である。
【００４３】
［実施形態４］
実施形態４は、本発明の認証装置および認証方法におけるタッチパネルの表示画像を示す。なお、実施形態４は、例えば、実施形態１〜３の認証装置および認証方法の説明を援用できる。
【００４４】
図４に、前記タッチパネルの表示画面の一例の概略図を示す。なお、本発明は、これには制限されない。図４に示すように、前記タッチパネルの表示画面４０には、円形の軌跡４１と、前記軌跡上に、記号として、０から９の整数の数字４２が、その順序で表示されている。本実施形態は、４つの認証記号をパスワードとして入力する形態であり、４つの記号の入力を示す４つの白丸４３が表示されている。この白丸４３は、例えば、記号の入力が検出される度に、記号が一つ入力されたことを示す●に変換されて表示される。
【００４５】
図４のタッチパネルについて、入力方法の一例を、図５を用いて説明する。まず、図５（ａ）に示すように、前記タッチパネルの軌跡上の数字４２のうち、いずれか一つの数字（図において０）に指先４３を接触させる。つぎに、前記タッチパネルに指先４３を接触させたまま、図５（ｂ）に示すように、軌跡４１上を右回りになぞっていく。そして、図５（ｃ）に示すように、最初に接触した数字（図において０）に戻ってから、指先４３を非接触とする。このように、接触を開始した数字から、前記タッチパネルへの接触を続けたまま、連続的に、前記軌跡上を移動し、最初の数字に戻ることで、最初の数字（０）の入力が検出される。なお、前記軌跡上の移動は、例えば、右回りでもよいし左回りでもよい。
【００４６】
他方、以下のような場合には、入力ミスとして検出される。例えば、最初に接触した数字から軌跡を通って元の数字にもどってくる間に、接触は連続的であるが、接触が前記軌跡から外れた場合、前記軌跡に沿った接触であるが、接触が連続的ではなく断続的であった場合等があげられる。
【００４７】
前記タッチパネルの表示画面は、例えば、前記軌跡上の記号への接触に伴い、連続的な前記軌跡上の接触を誘導するために、さらに、移動方向を示す矢印を表示してもよい。また、前記表示画面は、例えば、指先が接触した部分を、色等により表示してもよい。これよって、例えば、容易に前記軌跡上を移動することができ、また、移動の確認も容易になる。
【００４８】
図６に、前記タッチパネルの表示画面における軌跡上の数字の表示について、その他の例を示す。図６に示すように、表示画面４０において軌跡４１上の数字は、図４とは異なり、ランダムな順番の表示となっている。前記軌跡上の数字は、例えば、前述のように、ランダム手段により、認証の度、ランダムな並びに変換してもよい。
【００４９】
［実施形態５］
本実施形態のプログラムは、前述の認証方法をコンピュータ上で実行可能なプログラムである。または、本実施形態のプログラムは、例えば、コンピュータ読み取り可能な記録媒体に記録されてもよい。前記記録媒体としては、特に限定されず、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。
【００５０】
［実施形態６］
実施形態６は、本発明の認証システムに関する。
【００５１】
本実施形態の認証システムによれば、例えば、前記表示手段および前記入力検出手段をを現場に設置し、サーバ等は他の場所に設置して、オンラインにより認証を行うことができる。そのため、例えば、装置の設置に場所を取ることがなく、メンテナンスも容易である。また、各設置場所が離れている場合であっても、一箇所での集中管理や遠隔操作が可能となる。本発明の認証システムは、例えば、前記認証装置および前記認証方法等の説明を援用できる。
【００５２】
図７に、本発明の認証システムの一例の構成を示す。図７に示すように、本実施形態の認証は、表示手段６４と、入力検出手段６５と、通信インターフェイス６３と、サーバ６１とを備える。表示手段６４は、入力検出手段６５および通信インターフェイス６３と接続され、入力検出手段６５は、表示手段６４および通信インターフェイス６３と接続されている。表示手段６４、入力検出手段６５および通信インターフェイス６３は、例えば、端末であり、前記端末の通信インターフェイス６３と、サーバ６１とが、回線網６２を介して接続されている。この認証システムでは、サーバ６１側に、認証判定手段が格納され、また、認証記号等のデータが記憶されている。
【００５３】
また、サーバ６１が、認証記号等のデータが記憶された記憶手段を有し、前記端末が、前記認証判定手段を有してもよい。その場合は、サーバ６１の記憶手段から、予め設定された認証記号を呼び出し、前記端末に送信し、前記端末内の前記認証判定手段において、認証の判定が行われてもよい。
【００５４】
なお、本実施形態の情報表示システムは、前述の各実施形態の組合せに対応したものであってもよい。また、本実施形態の認証システムは、例えば、クラウドコンピューティングに対応したものであってもよい。さらに、本実施形態の認証システムは、通信インターフェイスと、サーバとが、無線回線を接続されていてもよい。
【００５５】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００５６】
本発明は、前記タッチパネルの表示画面において、始点と終点とが一致する軌跡上に、複数の記号が表示されており、任意の記号から出発して前記軌跡を通って元の記号に戻ってくるまで、前記タッチパネルの軌跡を連続的に接触することをもって、前記記号の入力を検出している。このため、いずれの記号を入力する場合でも、開始から終了まで、前記軌跡上を全て連続的に接触するため、特定の記号のみに接触することがない。また、接触したことによる指紋の痕跡も、前記軌跡上を全て連続的に接触することにより、消されることになる。したがって、本発明によれは、第三者による認証記号の読み取りを回避することができる。このため、本発明によれば、パソコン、スマートフォン、タブレット、キャッシュディスペンサー等の認証において、優れた安全性を確保できる。
【符号の説明】
【００５７】
１０    認証装置
１１、６４    表示手段
１２、６５    入力検出手段
１３    認証判定手段
６１    サーバ
６２    回線網
６３    通信インターフェイス
【図１】
2016192149.tif 000003
【図２】
2016192149.tif 000004
【図３】
2016192149.tif 000005
【図４】
2016192149.tif 000006
【図５】
2016192149.tif 000007
【図６】
2016192149.tif 000008
【図７】
2016192149.tif 000009